(57)【特許請求の範囲】
【請求項１】
粘弾性エラストマーゲルからなり、クッション体内壁（コラム壁）（２２）によって仕切られた複数の柱状空間（コラム）（２３）を有した各部クッション体（１９）により体圧分散マットレスを構成し、前記各部クッション体（１９）は、肩部クッション体（１９ａ）と腰部クッション体（１９ｂ）と脚部クッション体（１９ｃ）を着脱自在に組み合わせて構成し、かつ、前記肩部と腰部と脚部の各クッション体（１９ａ）、（１９ｂ）、（１９ｃ）は、マットレス使用者毎に異なる、寝姿勢、尻周り長さに対する腰周り長さの割合として規定される体形によって決まる最適な硬さＩＬＤ（負荷重たわみ値）を有するようにマットレス製造部（５）によって製造し顧客に提供するマットレス提供方法であって、
コンピュータネットワークを介して接続されたマットレス使用者（３）の端末装置（４）とサービス者コンピュータ（サーバ）（２）の間において、サービス者コンピュータ（サーバ）（２）からアンケート表示をマットレス使用者（３）の端末装置（４）に出力すると共に、前記アンケート表示に対するマットレス使用者（３）の回答を体格項目・ソフト項目からなる顧客睡眠度データとしてサービス者コンピュータ（サーバ）（２）に出力し、該サービス者コンピュータ（２）内に開設されるサービス者サイトに入力された、前記体格項目・ソフト項目からなる顧客睡眠度データをもとに、マットレス使用者の体重と身長から算出されるＢＭＩ（ボディマス指数）を基準として、サービス者コンピュータが最適ＩＬＤ（負荷重たわみ値）データを算出し、該データに基づく発注信号をマットレス製造部（５）に出力し、前記データに基づいて製造された、マットレス使用者（３）にとって最適のＩＬＤ（負荷重たわみ値）を有する肩部と腰部と脚部の各クッション体（１９ａ）、（１９ｂ）、（１９ｃ）からなる各部クッション体（１９）をマットレス使用者（３）に提供することを特徴とする体圧分散マットレス提供方法。
【請求項２】
前記ソフト項目の寝姿勢が仰臥位又は側臥位であって、かつ前記体格項目から算出される尻周り長さに対する腰周り長さの割合が０．８５未満の場合には腰部クッション体がＩＬＤの低いクッション体へ変更され、尻周り長さに対する腰周り長さの割合が１．０以上の場合には、腰部クッション体がＩＬＤの高いクッション体へ変更されることを特徴とする請求項１記載の体圧分散マットレス提供方法。
【請求項３】
前記ソフト項目の寝姿勢が伏臥位であって、かつ前記体格項目から算出される尻周り長さに対する腰周り長さの割合が０．８５未満の場合には、腰部クッション体がＩＬＤの高いクッション体へ変更され、尻周り長さに対する腰周り長さの割合が１．０以上の場合には、腰部クッション体がＩＬＤの低いクッション体へ変更されることを特徴とする請求項１記載の体圧分散マットレス提供方法。
【請求項４】
前記体格項目から算出されるふくらはぎ周り長さに対する足首周り（くるぶし周り）長さの割合が０．６未満の場合には、脚部クッション体がＩＬＤの低いクッション体へ変更されることを特徴とする請求項１記載の体圧分散マットレス提供方法。
【請求項５】
前記ソフト項目の寝姿勢が側臥位であって、かつ前記体格項目から算出される肩周り長さに対する胸囲の割合が０．９未満の場合には、肩部クッション体がＩＬＤの低いクッション体へ変更されることを特徴とする請求項１記載の体圧分散マットレス提供方法。
【請求項６】
コンピュータネットワークにより前記サービス者コンピュータと接続された端末装置から前記サービス者サイトにおいて前記顧客睡眠度データが入力されると、サービス者コンピュータが前記最適マットレスデータを算出し、最適マットレスデータが前記端末装置の出力手段から出力されることを特徴とする請求項１記載の体圧分散マットレス提供方法。
【請求項７】
前記端末装置が出力手段としてプリンターを備える場合において、前記サービス者サイトへ「メジャー印刷」を指示することにより、前記端末装置の前記プリンターからメジャー画が印刷されるようにしてなることを特徴とする請求項１から６のいずれか１項に記載の体圧分散マットレス提供方法。
【請求項８】
前記サービス者サイトにおいて入力される前記顧客睡眠度データおよび顧客個人データ（顧客の氏名・住所等）を前記サービス者コンピュータの記憶手段に登録（保存）することを特徴とする請求項１から７のいずれか１項に記載の体圧分散マットレス提供方法。
【請求項９】
前記サービス者コンピュータと接続された管理端末により、前記サービス者コンピュータの前記記憶手段に登録された前記顧客睡眠度データおよび前記顧客個人データを管理できるようにしたことを特徴とする請求項８に記載の体圧分散マットレス提供方法。
【請求項１０】
前記顧客睡眠度データと前記顧客個人データを前記サービス者コンピュータまたは前記管理端末に接続されたデータベース（外部記憶装置）に登録（保存）することを特徴とする請求項８又は９記載の体圧分散マットレス提供方法。
【発明の詳細な説明】
【０００１】
【発明の属する技術分野】
本発明は、マットレス使用者に最適化された体圧分散マットレスのインターネットを利用した提供方法に関する。
【０００２】
【従来の技術】
快適な睡眠は人間の健康を維持するうえで重要な要素の一つである。快適な睡眠を享受するためには就寝時の寝姿勢が特に重要である。つまり、リラックスして立った状態において息を吐き出したときの背骨の形状が就寝時に維持される場合、理想的な寝姿勢であるといえる（図２０参照）。
【０００３】
ここで、標準的な寝姿勢である仰臥位（あお向け）で眠る場合には、体の後頭部・肩甲骨部・仙骨部（腰）・踵骨部の四個所の骨突起部に大きな体圧がかかる（図２１参照）。このとき、床や固いマットレスなどで眠る場合には体圧の分散が図られず、骨突起部はマットレス等に沈み込むことができない。そして、肩甲骨部から仙骨部の間の胴体部分はマットレス等で支持されていないため、背骨は胴体部分の荷重で曲がり、理想的な寝姿勢を保つことができない。
【０００４】
つまり、一般的なスプリングマットレスで理想的な寝姿勢を維持するためには骨突起部をマットレスへ深く沈みこませる必要がある。しかし、深く沈みこむ部分はスプリングを圧縮させて多くの体重を支えるため、骨突起部の負荷が非常に大きい。そのため痛みや痺れが発生して快適な睡眠が妨げられる。
従って、就寝時に理想的な寝姿勢を維持するためには、マットレスの体圧分散機能が特に重要となる。
【０００５】
また、人間の体の一定箇所に一定時間一定以上の圧力が加わり続ける状況（つまり、硬いマットレスの上で眠る場合など、就寝時において体圧の分散が図られずに床面に骨突起部が接する場合）では、血管が圧迫されて褥瘡（阻血性壊死）が発生する原因になる。
例えば、仙骨部の毛細血管圧は約３０ｍｍＨｇ以下であり、仙骨部にかかる体圧が３０ｍｍＨｇ以下であれば、基本的に仙骨部に褥瘡は発生しない。しかし、固い床に仰臥位（あお向け）で臥床すれば、大きな体圧（２００ｍｍＨｇ以上）が仙骨部にかかるため２時間で褥瘡が発生しうる。
【０００６】
従って、褥瘡の防止の観点からはマットレスの体圧分散機能が重要となる。特に介護用途の場合には、体圧分散機能が十分でないと褥瘡防止のために寝返りを頻繁にする労力が必要となるため、マットレスの体圧分散機能が極めて重要な要素となる。
【０００７】
その一方で、マットレスの体圧分散機能を追求しすぎると、臀部が沈み込みすぎてハンモックに寝たときのように猫背の姿勢となり、理想的な寝姿勢の背骨のラインを保つのがやはり困難である（図２２参照）。猫背の姿勢では横隔膜が圧迫されるため、通常の呼吸が妨げられ、また寝返りがしにくいなどの理由により、快適な睡眠が妨げられる。
【０００８】
すなわち、理想的な寝姿勢を保つためにはマットレスをただ柔らかくするだけでは足りず、例えば踵骨部のような小さな凸部でも、その部分だけが最小の面積で凹むことのできるような体型に順応したある程度の硬さをも有することが要求される。
【０００９】
しかし、市販のマットレスは使用者の体型の相違・寝姿勢等を考慮せず、人間の標準体型等を基準として全面が均一のクッション体の製品が一般的である。そのため顧客は好みのマットレスを購入するためには、顧客は多数のベッドのカタログを取り寄せたり、多数の寝具店や家具店に行っていろいろなベッドに実際に寝てみるなどして好みのベッドを選ばなければならなかった。
【００１０】
また、店員が顧客に最適なベッド選びに必要な顧客の睡眠度アンケートを提示したり、専門的な相談にのることも殆どなく、一方、顧客は店員に個人情報を話すことへの羞恥心も強くある。そのため、顧客は科学的知識のないまま、誰にも相談することなくベットを購入しているというのが現状である。
【００１１】
こうした場合、ベッドのデザイン・豪華さや、店員の旨い話に惑わされたり、ちょっと座る程度の寝心地のみを判断材料としてベッドを購入してしまい、後で快適な睡眠がとれない状態となる場合も多い。
つまり、上述したベッドの購入方法は、十分に顧客の快適な睡眠を得るのに必要な情報を検討して選んでいるわけではないので、必然的に顧客に合わないベッドとならざるを得ない。
【００１２】
しかも、購入後に使用し続けることにより顧客がベッドの不具合を感じたり、体格の変化などによる不具合が生じても、それをベッドそのものにより是正することは殆どできない。例えばマットレス使用者が妊娠し、６ヶ月で体型が著しく変化して出産後に体型が戻る場合などの短期的な状況の変化に柔軟に対応することは困難である。
【００１３】
【発明が解決しようとする課題】
本発明は以上のような従来技術の持つ問題点を解消するものであり、その目的は、顧客が睡眠に関する個人情報を羞恥心を持つことなく提示でき、顧客睡眠度データに基づいて顧客（マットレス使用者）に最適な体圧分散マットレスの提供方法を提案するものである。
【００１４】
また他の目的は、マットレスの提供後の不具合にも容易に対応できる体圧分散マットレスの提供方法を提案するものである。
【００１５】
【課題を解決するための手段】
＜第１の発明の体圧分散マットレス提供方法＞
クッション体内壁（コラム壁）２３によって仕切られた複数の柱状空間（コラム）２２を有しており、粘弾性エラストマーゲルからなるクッション体から各部クッション体１９（肩部クッション体１９ａ、腰部クッション体１９ｂ、脚部クッション体１９ｃ）を組み合わせてなる体圧分散マットレス１８に関して、ＩＬＤ（負荷重たわみ値）が異なるクッション体から各部クッション体１９の組み合わせの最適マットレスデータ１３をコンピュータネットワークを利用して提供する方法において、
サービス者コンピュータ２内に開設されるサービス者サイト１１で入力された体格項目３６・ソフト項目３７からなる顧客睡眠度データ１５から、マットレス使用者の体重と身長から算出されるＢＭＩ（ボディマス指数）を基準として、サービス者コンピュータ２が最適マットレスデータ１３を算出し、最適マットレスデータ１３が出力されることを特徴とする。
【００１６】
このとき、ソフト項目３７の寝姿勢が仰臥位又は側臥位であって、かつ体格項目３６から算出される尻周り長さに対する腰周り長さの割合が０．８５未満の場合には腰部クッション体１９ｂがＩＬＤの低いクッション体へ変更されるようにするのが好適である。
またソフト項目３７の寝姿勢が仰臥位又は側臥位であって、かつ体格項目３６から算出される尻周り長さに対する腰周り長さの割合が１．０以上の場合には、腰部クッション体１９ｂがＩＬＤの高いクッション体へ変更されるようにするのが好適である。
【００１７】
このとき、ソフト項目３７の寝姿勢が伏臥位であって、かつ体格項目３６から算出される尻周り長さに対する腰周り長さの割合が０．８５未満の場合には、腰部クッション体１９ｂがＩＬＤの高いクッション体へ変更されるようにするのが好適である。
またソフト項目３７の寝姿勢が伏臥位であって、かつ体格項目３６から算出される尻周り長さに対する腰周り長さの割合が１．０以上の場合には、腰部クッション体１９ｂがＩＬＤの低いクッション体へ変更されるようにするのが好適である。
【００１８】
このとき、体格項目３６から算出されるふくらはぎ周り長さに対する足首周り（くるぶし周り）長さの割合が０．６未満の場合には、脚部クッション体１９ｃがＩＬＤの低いクッション体へ変更されるようにするのが好適である。
【００１９】
このとき、ソフト項目３７の寝姿勢が側臥位であって、かつ体格項目３６から算出される肩周り長さに対する胸囲の割合が０．９未満の場合には、肩部クッション体１９ａがＩＬＤの低いクッション体へ変更されるようにするのが好適である。
【００２０】
＜第２の発明の体圧分散マットレス提供方法＞
第１の発明において、コンピュータネットワークによりサービス者コンピュータ２と接続された端末装置４からサービス者サイト１１において顧客睡眠度データ１５が入力されると、サービス者コンピュータ２が最適マットレスデータ１３を算出し、最適マットレスデータ１３が端末装置４の出力手段から出力されることを特徴とする。
【００２１】
このとき、端末装置４が出力手段としてプリンターを備える場合には、サービス者サイト２へ「メジャー印刷」を指示することにより、端末装置４のプリンターからメジャー３４が印刷されるようにしてもよい。
【００２２】
＜第３の発明の体圧分散マットレス提供方法＞
第１または第２の発明において、サービス者サイト２において入力される顧客睡眠度データ１５および顧客個人データ１４をサービス者コンピュータ２の記憶手段８に登録（保存）することを特徴とする。
【００２３】
このとき、サービス者コンピュータ２と接続された管理端末１７により、サービス者コンピュータ２の記憶手段８に登録された顧客睡眠度データ１５および顧客個人データ１４を管理できるようにしてもよい。
【００２４】
さらに、顧客睡眠度データ１５と顧客個人データ１４をサービス者コンピュータ２または管理端末１７に接続されたデータベース（外部記憶装置）１６に登録（保存）できるようにしてもよい。
【００２５】
【発明の実施形態】
本実施形態のマットレスの提供システム１は、サービス者コンピュータ（サーバー）２、顧客３の端末装置４およびマットレス製作部５から構成される。
なお、本実施形態のマットレスの提供システム１では、インターネットを利用する場合について説明するが、コンピュータネットワークを利用するものであれば、例えばＬＡＮ（ローカルエリアネットワーク）による場合であってもよい。
【００２６】
サービス者コンピュータ（サーバ）２は、通信手段６、サービス者サイト管理プログラム７、記憶手段８、制御手段９を少なくとも有している。
【００２７】
サービス者コンピュータ（サーバー）２は、通信手段６でインターネットをはじめとするコンピュータネットワークに接続できるようになっている。通信手段６は、無線および／または有線による公知の通信手段で構成されている。
またサービス者コンピュータ２は、サービス者コンピュータ２内に開設されたサービス者サイト（サービス者ホームページ）１１をサービス者サイト管理プログラム７により管理できるようになっている。
【００２８】
サービス者サイト管理プログラム７は、サービス者サイト１１で行なうことのできる健康睡眠度チェックアンケート１２の結果から最適マットレスデータ１３を作成し、端末装置４に出力するようになっている。またサービス者サイト１１でされた顧客情報の管理・更新（最適マットレスデータ１３・顧客個人データ１４・顧客睡眠度データ１５）や、マットレスの受注をマットレス製作部５に指示できるようになっている。
【００２９】
記憶手段８は、サービス者サイト管理プログラム７を格納し、また顧客の氏名・住所等の顧客個人データ１４の登録部、顧客睡眠度データ１５（健康睡眠度チェックアンケート１２の結果）の登録部、最適マットレスデータ１３の記憶部を有している。記憶手段８内のデータ（最適マットレスデータ１３・顧客個人データ１４・顧客睡眠度データ１５）はデータベース１６として外部記憶装置に蓄積されるようにしてもよい。
制御手段９はＣＰＵ等から構成され、各部の制御・データの転送・種々の演算・データの一時的な格納を行なう。
【００３０】
また、サービス者コンピュータ２に出力手段（ディスプレイ・プリンターなど）や入力手段（キーボード・マウス・トラックボール・スキャナー・タッチパネル・マイクロフォンなど）を設けて、記憶手段８内のデータを管理できるようにしてもよい。
【００３１】
さらに、サービス者コンピュータ２に管理端末１７を接続できるように設置することで記憶手段８内のデータを管理（例えば、最適マットレスデータ１３・顧客個人データ１４・顧客睡眠度データ１５の表示・更新や、顧客個人データからＥ−ｍａｉｌの発送するなどの作業をする等）できるようにしてもよい。
管理端末１７は、出力手段（ディスプレイ・プリンターなど）、入力手段（キーボード・マウス・トラックボール・スキャナー・タッチパネル・マイクロフォンなど）、制御手段（ＣＰＵ等から構成され、各部の制御・データの転送・種々の演算・データの一時的な格納を行なう）およびコンピュータネットワークへ接続するための通信機能を少なくとも有する。
また、管理端末１７にデータベース１６（外部記憶装置）を接続するようにしてもよい。
【００３２】
端末装置４は、通信機能を備えサービス者サイト（サービス者ホームページ）１１を閲覧することができるすべての通信端末を含む概念である。従って、市販のパーソナルコンピュータ・モバイルコンピュータの他、インターネット機能を有する携帯電話（ブラウザーフォン）なども本明細書の端末装置４に含まれる。端末装置４は、出力手段（ディスプレイ・プリンターなど）、入力手段（キーボード・マウス・スキャナー・タッチパネル・マイクロフォンなど）、制御手段（ＣＰＵ等から構成され、各部の制御・データの転送・種々の演算・データの一時的な格納を行なう）およびコンピュータネットワークへ接続するための通信機能を少なくとも有する。
【００３３】
マットレス製作部５は、サービス者コンピュータ２から出力または送信により提示されたデータに基づいてマットレス１８を製作する。
マットレス製作部５には、マットレス販売店に設置した端末装置４から出力されたデータをもとにマットレス販売店でマットレス１８を組み立てる場合も含む。
【００３４】
ここで、マットレス１８は、各部クッション体１９、箱体（キャビティ）２０、通気性カバー２１からなる。
【００３５】
各部クッション体１９は、人の肩部（頭部を含む）を支える肩部クッション体１９ａ、腰部を支える腰部クッション体１９ｂ、脚部を支える脚部クッション体１９ｃに３分割された構成となっており、各クッション体１９は交換可能な構造となっている。各部クッション体１９の形状を共通としたことで、多様なＩＬＤの異なるクッション体を各部クッション体１９のいずれにも使用でき、マットレス１８の生産コストを下げることができる。
【００３６】
なお、好適例として各部クッション体１９を、肩部クッション体１９ａ、腰部クッション体１９ｂ、脚部クッション体１９ｃと三分割したのは次の理由による。つまり、就寝時に後頭部・肩甲骨部・仙骨部（腰）・踵骨部の四個所に大きな体圧がかかるが（図２１参照）、後頭部については枕を使って後頭部を支持することから、肩甲骨部・仙骨部（腰）・踵骨部をマットレスで支持すれば足りるためである。
もっとも、各部クッション体をさらに細分化して四分割またはそれ以上に分割することも可能である。
【００３７】
各部クッション体１９は、トリブロック共重合ポリマーと可塑材から構成される粘弾性エラストマー（Ｖｉｓｃｏ  Ｅｌａｓｔｏｍｅｒ）のゲルからなる。
粘弾性（Ｖｉｓｃｏ）とは、圧力変形速度、再変形速度を意味する。また、エラストマー性（Ｅｌａｓｔｉｃ）とは、圧力によって変形が起こり圧力から解放された場合、実質的にもとの形状に戻る性質をいう。
エラストマー（Ｅｌａｓｔｏｍｅｒ）の成分は、Ａ−Ｂ−Ａの三部構成からなるトリブロック共重合ポリマーが好適である。
ここで、Ａは水晶体ポリマー（ポリスチレンや官能性ポリマーに限らず、モノアルカニラレン（ｍｏｎｏａｌｋｅｎｅｙｌａｒｅｎｅ）ポリマーなど）からなる。そして、Ｂはエラストマー性ポリマー（例えば、ポリエチレン、ポリブチレン、ポリ（エチレン／ブチレン）、水素化ポリ（イソピレン）、水素化ポリ（ブタジェン）、水素化ポリ（イソピレン＋ブタジェン）、ポリ（エチレン／プロピレン）、水素化ポリ（エチレン／ブチレン＋エチレン／プロピレン））からなる。
また、可塑材としては、パラフィン系白ミネラルオイル、市販の加工用オイル（パラフイン、ナフサンオイルなど）、炭化水素系樹脂、ロジン系樹脂、オイル合成品、樹脂合成品、その他潤滑材、またはこれらの組み合わせたものがあげられる。
【００３８】
各部クッション体１９は、図１５及び図１６に示すようにクッション体内壁（コラム壁）２２により仕切られた複数の柱状空間（コラム）２３を有している。柱状空間（コラム）２２の断面は一辺が２０ｍｍ〜３０ｍｍの正方形であり、あるひとつのコラム２２の各辺に隣接するコラム２２は、コラム壁２３を隔てて一列に並ぶようになっている。
また、コラム２２はクッション体の接地面（下面）に対して垂直に立ちあがり、下面と上面が開口する直方体の空間となっている。
なお、コラム２２の形状は上記に限定するものではなく、例えばコラムの断面形状が円であってもよい。また、コラムの断面を正六角形にして蜂の巣状に配列したり、コラム壁の上部または下部に多数の切り込みや溝を設けるようにしてもよい（図示を省略する）。
【００３９】
コラム壁２３は、図１７に示すようにマットレス使用者の重量に連動してねじれ現象を起こし、体とクッションとの接触面積を最大限にしてマットレス使用者の体をクッションに深く沈みこませるようになっている。
人間の体の突起部（骨突起部）の下に位置するコラム壁２３ａは、部分的あるいは全体的にねじれをおこして骨突起部を支え、骨突起部に圧力が集中するのを防ぐようになっている。ねじれたコラム壁２３は形状変化に対してほとんど抵抗を示さないので、骨突起部周辺の圧力を和らげる。
一方、骨突起部以外の下に位置するコラム壁２３ｂについては、コラム壁２３を形成するクッション体は圧縮するがコラム壁２３はねじれないので、人間の体が接触する広い面積で人間の体を保持するようになっている。
つまり、コラム壁２３に耐えうる荷重を越える荷重が掛かった場合、コラム壁２３は不安定となり、初期の柔らかさと弾性力を失うことなくねじれ（図１７のコラム壁２３ａの状態）、一つのコラム壁が耐えることを拒否した荷重はその周りのコラム壁が負担する。そしてコラム壁の荷重が除かれると弾性力により歪みを残さず元の形状及び特性に復元する。
【００４０】
図１８において、略三角形の横並びで表現した部位はマットレス使用者の背骨を示し、その周りは身体の肩から尻にかけての身体を示している。垂直方向の大小の矢印はマットレスの各部位の身体に与える圧迫力（身体の各部位にかかる荷重の大きさ、矢印が大きいほど荷重が大きい）を示している。
本発明のマットレスにおいては、身体の凸凹のすべてに同じようにフィットして同じ荷重で受け止めるので（矢印が全部同じ）、身体の荷重を局部に集中させず身体全体に均一に分散させている（図１８ａ）。
一方、スプリング式のマットレスにおいては、突出している身体の肩部、尻部、踵部で体重の多くを支持することになるので（図１８ｂ参照）、骨突起部などの局部に圧迫荷重が強くかかり、病人・要介護者は特に褥瘡を起こし易くなる。
【００４１】
耐えうる荷重以上の荷重が掛かったコラム壁はその荷重により押しつぶされ伸ばされてその厚さを薄く変形させる。しかし、特に解放されたコラム壁の先端部分は凸凹が生じないほどに伸びるので、クッション体の表面が弱粘着性で柔軟性に富んでいることと相まって皮膚に凸凹の後を作らない。
【００４２】
また、コラム壁２３のねじれ・つぶれによりコラム２２内の空気は入れ替わり、コラム２２を通してマットレス１８内の空気が循環するため、本発明のマットレス１８は通気性にも優れている。
柱状空間（コラム）２２内部は、全体的に空気を始めとする熱容量が低い気体で構成され、マットレス１８の温度は一定に保たれる。また、マットレス１８が多くのコラム２２を持つことから、マットレス１８は非常に軽量である。
【００４３】
各部クッション体１９の硬さは、ＩＬＤ（Ｉｎｄｅｎｔａｔｉｏｎ  Ｌｏａｄ  Ｄｅｆｌｅｃｔｉｏｎ：負荷重たわみ値）を基準としている。
ＩＬＤは荷重測定法の１つであり、本明細書では、少なくとも直径８インチの円形プレートを受けとめられるだけの面積を有し、かつ高さ１．７インチの試料（クッション体）に直径８インチの円形プレートで加重をかけ、４０％圧縮した状態（高さが１．０２インチ）で停止させて、該停止時の円形プレート重量（単位：ポンド）を測定したものを意味する。
【００４４】
例えば、本明細書においてＩＬＤが２０とは、高さ１．７インチのクッション体を１．０２インチまで圧縮するのに２０ポンドの重量を要することを意味し、ＩＬＤが３０とは、高さ１．７インチのクッション体を１．０２インチまで圧縮するのに３０ポンドの重量を要することを意味する。つまり、ポンドの値が大きいほどクッション体の硬度が高くなる。
【００４５】
ここで、ＩＬＤを決定する基準として、クッション体を４０％圧縮した状態を採用するのは、本発明の粘弾性エラストマーのクッション体は圧縮率（縮み率）が略３０％から略５０％の間で安定値を有するため、その中間の値である圧縮率（縮み率）４０％を採用したものである。
図１９は、３０ポンドの荷重のとき圧縮率（縮み率）が略３０％から略５０％の間で安定値を有するクッション体の荷重の大きさと圧縮率（縮み率）の関係を表したグラフである。
【００４６】
粘弾性エラストマーからなる各部クッション体１９は、混合物の配合割合を変えたり、コラム壁の厚さを変えたり、あるいは添加物を加えることにより、硬さや弾性力を調節することができ、多様なＩＬＤのクッション体を作ることができる。
なお、各部クッション体１９に用いられる硬さは、特に限定するものではないがＩＬＤで１６以上３２未満の範囲が好適である。
【００４７】
箱体（キャビティ）２０は、クッション体保持枠２４と床部２５からなり、各部クッション体１９を組み入れることができるように上部が開口している。
クッション体保持枠２４は固わた・ウレタンフォームなどからなり、肩部クッション体１９ａ、腰部クッション体１９ｂ、脚部クッション体１９ｃを一体にまとめるようになっている。つまりクッション体保持枠２４は、人間の体が各部クッション体１９に乗ったときに各部クッション体１９が外側に膨張してクッション体がずれるのを防止する。
床部２５は固わた・ウレタンフォームなどからなり、クッション体の体圧分散効果を補助するようになっている。
なお、各部クッション体１９、クッション体保持枠２４および床部２５が汚れるのを防止するため、マットレス１８の外装体として伸縮性の通気性カバー２１を使用する。
【００４８】
本発明のマットレス提供システム１およびマットレス１８は上記のように構成されており、そして本発明のマットレス提供システム１は次のように作用する。顧客３が端末装置４からサービス者サイト１１に接続すると、端末装置４のディスプレーに、図３のスタート画面３０が表示される。
スタート画面３０の「スタート」ボタンをクリックすると健康睡眠度チェックアンケート１２による睡眠度チェックを促すアンケート促進画面３１（図３）が表示される。
【００４９】
アンケート促進画面３１の「チェックしてみる」ボタンをクリックするとアンケート注意事項画面３２が表示される（図３）。
アンケート注意事項画面３２の「メジャーを印刷する」ボタンをクリックすると図５のメジャー印刷画面３３が表示され、「印刷」ボタンをクリックするとＡ４用紙に正確なメジャー３４がプリントアウトされる（図４）。
印刷されたメジャー３４は、切取線３５をはさみで切って粘着テープなどでつなぎ合わせ、体格の測定に使用する。
【００５０】
健康睡眠度チェックアンケート１２の項目及びチェック内容は体格項目３６とソフト項目３７からなり、具体的には次のようになっている（図５参照）。
体格項目３６（図５中ａ〜ｉ）は、「ａ：身長」、「ｂ：体重」、「ｃ：肩周り」、「ｄ：胸囲（バスト）」、「ｅ：腰周り（ウエスト）」、「ｆ：尻周り（ヒップ）」、「ｇ：ふくらはぎ周り」、「ｈ：足首周り（くるぶし周り）」、「ｉ：へその下長さ」からなっている。
ソフト項目３７（図５中ｊ〜ｗ）は、「ｊ：寝姿勢」、「ｋ：睡眠中の痛みやしびれ」、「ｌ：睡眠中の目覚め回数」、「ｍ：睡眠中の汗」、「ｎ：入眠必要時間」、「ｏ：朝の目覚め」、「ｐ：現マットレスの硬さ」、「ｑ：現マットレスの使用年数」、「ｒ：現健康状態で気にしているところ」、「ｓ：睡眠薬の使用」、「ｔ：日中眠くなることは」、「ｕ：マットレスの硬さの好み」、「ｖ：マットレスの使用人数」、「ｗ：マットレスは二人のコミュニケーション（ｓｅｘ等）のサポートの役目もあります。このような使用方法の必要性は」からなっている。
【００５１】
体格項目３６とソフト項目３７のデータは、最適マットレスデータ１３の作成に用いられる他、上記データをモニターすることで顧客の健康的な睡眠を長期間に渡ってサポートできるというメリットがある。
また上記データは、最適なマットレスの開発や最適マットレスデータ作成のためのソフトの充実をすすめるためのデータとしても活用できる。
【００５２】
図４のアンケート注意事項画面３２の「このボタンを押すと質問がスタートします」ボタンをクリックすると図６の体格項目チェック画面３８が表示される。顧客は体格項目欄３９に測定した値を入力する。
【００５３】
体格項目チェック画面３８の「次のチェックにいく」ボタンをクリックするとソフト項目チェック画面４０が表示される（図６）。質問（チェック）項目は質問１０〜質問２３までの１３項目がある。１０〜２３の番号ボタンをクリックするか、あるいはスクロールボタン（図示しない）をクリックして質問項目を表示する。
そして、該当するチェック内容の番号を回答欄に入力するか、あるいはチェック内容の該当する項目名をクリックして回答欄に入力する。
【００５４】
顧客３が端末装置４にアンケートの回答（顧客睡眠度データ１５）をすべて入力し、図６のソフト項目チェック画面４０の「睡眠度健康チェック結果」ボタンをクリックすると、サービス者コンピュータ２にアンケート回答（顧客睡眠度データ１５）が送信される。
【００５５】
顧客睡眠度データ１５を受信したサービス者コンピュータ２は、顧客睡眠度データ１５をサービス者サイト管理プログラム７により処理して、顧客（マットレス使用者）に最適な各部クッション体１９（肩部クッション体１９ａ（ＳＰ）、腰部クッション体１９ｂ（ＨＰ）、脚部クッション体１９ｃ（ＬＰ））が選択された最適マットレスデータ１３が作成される。
【００５６】
ここで、アンケート回答に基づいて最適マットレスデータ１３を作成する課程は次のようになっている。
＜マットレス使用者の寝姿勢が仰臥位（あお向け）の場合＞
（１）マットレス使用者の身長、体重、肩周り長さ、胸囲（バスト）、腰周り長さ（ウエスト）、尻周り長さ（ヒップ）、ふくらはぎ周り長さ、足首周り（くるぶし周り）長さを測定する。
そして、マットレス使用者の身長、体重から、マットレス使用者のＢＭＩ（ボディマス指数：Ｂｏｄｙ  Ｍａｓｓ  Ｉｎｄｅｘ）を算出する。
【００５７】
【数１】
0003581087.tif 000002
そして算出されたＢＭＩから表１に従って、肩部クッション体（ＳＰ）、腰部クッション体（ＨＰ）、脚部クッション体（ＬＰ）の基準値を求める。
【００５８】
【表１】
0003581087.tif 000003
ここで、表１の肩部クッション体（ＳＰ）、腰部クッション体（ＨＰ）、脚部クッション体（ＬＰ）の数字とＩＬＤは表２のように対応する。
【００５９】
【表２】
0003581087.tif 000004
なお、ＢＭＩをマットレス選択における基準とするのは、以下の理由による。例えば、マットレス使用者が痩せている（皮下組織が薄い）ときには、皮下に骨隆起が生じやすくなる。つまりマットレスが硬いと骨突起部で血行障害が生じ、褥瘡が生じやすくなる。従って、その分マットレスを柔らかくする必要が生じるからである。
【００６０】
（２）次に、マットレス使用者の腰周り長さ（ウエスト）／尻周り長さ（ヒップ）の比を算出し、表３に従って腰部クッション体（ＨＰ）の補正値を求める。
【００６１】
【表３】
0003581087.tif 000005
マットレス使用者の腰周り長さ（ウエスト）／尻周り長さ（ヒップ）の値が１．０未満０．８５以上のときは特に表１の腰部クッション体を変更する必要はない。しかし、ウエスト／ヒップの値が０．８５未満から０．７以上のときには表１の腰部クッション体の数値を１減少する補正を行なう。
また、ウエスト／ヒップの値が０．７未満のときには、表１の腰部クッション体の数値を２減少する補正を行なう。
マットレス使用者のウエストとヒップの差が大きい場合には、腰とマットレスとの隙間ができる。そこで、腰部クッション体を柔らかくして腰の隙間をなくすことで体圧分散効果が更に高まる。
【００６２】
一方、マットレス使用者の腰周り長さ（ウエスト）／尻周り長さ（ヒップ）の値が１．０以上の場合には、表１の腰部クッション体の数値を１増加する補正を行なう。
例えば妊娠後期の体型の場合では、腹部の体重が腰部への負荷を増加させて腰部が沈みこむ状態が生じうる。そこで、腰部クッション体を硬くすることによって腰部の沈みこみを少なくし、理想的な背骨のラインを保つことが可能となる。
【００６３】
（３）また、マットレス使用者の足首周り（くるぶし周り）長さ／ふくらはぎ周り長さの比を算出し、表４に従って脚部クッション体（ＬＰ）の補正値を求める。
【００６４】
【表４】
0003581087.tif 000006
マットレス使用者の足首周り（くるぶし周り）長さ／ふくらはぎ周り長さの比が０．６未満の場合には、アキレス腱とマットレスとの隙間ができる。そこで、表１の脚部クッション体の数値を１減少する補正を行ない脚部クッション体を柔らかくする。この補正で、かかとをマットレスに沈めて隙間をなくすことで体圧分散効果が更に高まる。
【００６５】
（４）また、ＳＥＸの頻度により、表５に従って腰部クッション体（ＨＰ）の補正値を求める。
【００６６】
【表５】
0003581087.tif 000007
ＳＥＸの頻度により、表１の腰部クッション体の数値を１増加する補正を行ない腰部クッション体を少し硬くする。この補正でＳＥＸ時におけるひざ等の極端な沈みこみを防止して体位の安定を保ちやすくするためである。
【００６７】
（５）更に、マットレス使用者のマットレスの硬さの好みによっても、表６に従って、肩部クッション体（ＳＰ）、腰部クッション体（ＨＰ）、脚部クッション体（ＬＰ）の補正値を求める。
【００６８】
【表６】
0003581087.tif 000008
最終的にマットレス使用者の好みを取り入れることで、マットレスとのフィット感を高めて、マットレス使用者の精神的な満足を見出すことができる。
なお、肩部クッション体（ＳＰ）、腰部クッション体（ＨＰ）、脚部クッション体（ＬＰ）は、好みに応じて各クッション体を任意に変更するものであってもよい。例えば、肩部クッション体（ＳＰ）は柔らかくして、脚部クッション体（ＬＰ）を硬くするようにカスタマイズすることも可能である。
【００６９】
（６）上記（１）で求まる各クッション体の基準値を、（２）〜（５）で求まるクッション体の補正値で修正して、最終的な各部クッション体の硬さを表２で求める。
【００７０】
＜マットレス使用者の寝姿勢が側臥位（横向き）の場合＞
マットレス使用者の寝姿勢が側臥位（横向き）のときは、上記の（１）〜（６）の課程に加えて、次の（７）のように肩部クッション体（ＳＰ）を変更する。
【００７１】
（７）まず、マットレス使用者の胸囲／肩周り長さの比を算出し、表７に従って肩部クッション体（ＳＰ）の補正値を求める。
【００７２】
【表７】
0003581087.tif 000009
マットレス使用者の胸囲／肩周り長さの値が０．９以上のときは特に表１の肩部クッション体を変更する必要はない。しかし、胸囲／肩周り長さの値が０．９未満から０．８以上のときには表１の肩部クッション体の数値を１減少する補正を行なう。
また、胸囲／肩周り長さの値が０．８未満のときには、表１の肩部クッション体の数値を２減少する補正を行なう。
例えば、水泳選手のように胸囲と肩周り長さの差が大きい場合であって、寝姿勢が横向きの場合には肩を沈みこませることにより、理想的な寝姿勢における背骨のラインを保つことができる。
【００７３】
＜マットレス使用者の寝姿勢が伏臥位（うつ伏せ）の場合＞
マットレス使用者の寝姿勢が伏臥位（うつ伏せ）のときは、上記の（１）、（３）〜（６）に加えて、上記（２）に替えて次の（８）のように腰部クッション体（ＨＰ）を変更する。
【００７４】
（８）マットレス使用者のウエスト周り長さ／ヒップ周り長さの比を算出し、表８に従って腰部クッション体（ＨＰ）の補正値を変更する。
【００７５】
【表８】
0003581087.tif 000010
マットレス使用者の腰周り長さ（ウエスト）／尻周り長さ（ヒップ）の値が１．０未満０．８５以上のときは特に表１の腰部クッション体を変更する必要はない。しかし、ウエスト／ヒップの値が０．８５未満から０．７以上のときには表１の腰部クッション体の数値を１増加する補正を行なう。
また、ウエスト／ヒップの値が０．７未満のときには、表１の腰部クッション体の数値を２増加する補正を行なう。
寝姿勢がうつ伏せの場合には、あお向けの場合とは異なり尻など骨の突出部が比較的に少ない。そのため、クッション体を少し硬くすることで背骨がえび反ることを防止し、理想的な寝姿勢における背骨のラインを保つことができる。
【００７６】
一方、マットレス使用者の腰周り長さ（ウエスト）／尻周り長さ（ヒップ）の値が１．０以上の場合には、表１の腰部クッション体の数値を１減少する補正を行なう。
例えば妊娠後期の体型の場合には腰部クッション体を柔らかくして、腹部をクッション体に沈みこませることで体圧分散効果を高めることができる。
【００７７】
サービス者コンピュータ２は作成された最適マットレスデータから、５１２通り（８×８×８）のマットレスパターンの中から最適マットレスデータ１３を選択して端末装置４に送信する。そして端末装置４のディスプレーには、図７の最適マットレスデータ画面４１が表示される。
【００７８】
最適マットレスデータ画面４１の「会員登録をする」ボタンをクリックすると図８の会員登録画面４２が表示される。会員登録画面４２中の会員登録欄４３に顧客が氏名・住所等の顧客個人データ１４を記入してサービス者コンピュータ２に送信すると、サービス者コンピュータ２の記憶手段８に登録顧客４４として顧客個人データ１４が登録（保存）される。
この会員登録はマットレスの購入（発注）希望者については必須であり、図９のマットレス注文画面４５で注文と合わせて登録をする。
【００７９】
また会員登録を済ませた登録顧客４４については、サービス者コンピュータ２の記憶手段８に、登録顧客４４の最適マットレスデータ１３と登録顧客４４の顧客睡眠度データ１５が自動的に登録（保存）される。
【００８０】
図６のソフト項目チェック画面４０の「最終チェックにいく」ボタンをクリックすると、図１０の見積もり画面４６が表示される。
一方、図６のソフト項目チェック画面４０の「睡眠ベッドを注文する」ボタンをクリックすると、図９のマットレス注文画面４５が表示される。マットレス注文画面４５でベッドのスタイルをベッド選択ボタンにより選択して「注文する」ボタンをクリックすると注文が完了する。料金の支払はクレジットカードによる決済や銀行・コンビニでの振込みにより行なわれる。
なお、図１０の見積もり画面４６にも「マットレスを注文する」ボタンを設けると顧客の購入意欲を促進できるので好適である。
【００８１】
端末装置４からの注文が送信されると、サービス者コンピュータ２からマットレス製作部５（製造部門等）に最適マットレスデータ１３に基づくマットレスの製造と顧客への発送が指示される。
【００８２】
また、登録顧客４４のアンケート回答（顧客睡眠度データ１５）の変更がある場合には、サービス者コンピュータ２は、記憶手段８内の顧客睡眠度データ１５を修正すると共に、修正した顧客睡眠度データに基づく最適マットレスデータ１３を作成し顧客に提供する。
修正された最適マットレスデータに基づいて、登録顧客４４から交換用マットレスの注文があった場合には、上記と同様にサービス者コンピュータ２からマットレス製作部５（製造部門等）に交換用マットレスの製造と顧客への発送が指示される。このとき、交換した使用済みマットレスは返却してもらい再生使用することもできる。
【００８３】
なお、図６のソフト項目チェック画面４０の「美ーナス度チェックにいく」ボタンをクリックすると、図１１の美ーナス度チェック画面４７が表示される。体格項目３６やソフト項目３７をもとに、年齢・性別等により異なる標準的な体格との差異を表示して、自らのプロポーション（あるいは健康度など）を知ることができる。
これにより、例えばダイエットをしている人の体型チェック場所として利用できるなど、顧客のサービス者サイトへ関心を高めることができる。
【００８４】
また、マットレスの購入を希望しない人については、販売店で体験用マットレスを提供し、体感による睡眠者データの修正にも応じて本注文に生かすこともできる。
【００８５】
【発明の効果】
＜第１の体圧分散マットレス提供方法の発明の効果＞
顧客からの睡眠度アンケートへの回答（アンケート回答）に基づいて、客観的な見地から、最適マットレスデータに基づく顧客にフィットしたマットレスを提供できる点で顕著な効果を奏する。
【００８６】
また各部クッション体は交換可能であり、以下のような諸事情にも部分的なクッション体の交換で対応することができる点で特に有利である。
▲１▼  妊娠した場合には、６ヶ月で体型が著しく変化する。しかし本発明のマットレスでは、腰部クッション体を硬いものに替えることにより、腰部の沈みこみを少なくして腰部の負担を軽減し、理想的な寝姿勢を保つことができる。
また、出産後に体型が戻ったときには、もとのクッション体に戻すことで、理想的な寝姿勢を保つことができる。
▲２▼  例えば、右脚部にやけどを負い水ぶくれを破水させないように治療する場合には、脚部クッション体を柔らかいクッション体に替えることにより、水ぶくれにかかる体圧をより低くすることができる。これにより治療期間が短縮でき、痕を残さないで治療することが可能となる。
▲３▼  万が一にマットレスや箱体が損傷した場合にも、部分的にクッション体などを交換することで、マットレスすべてを買い換えることなく、従前と同様の快適な睡眠を享受できる。
【００８７】
なお、こうしたサポートや顧客からの睡眠データの提供及び注文などはコンピュータネットワーク（インターネット等）の通信システムを使用して行われるので、サービス者の負担が少ない点で顕著な効果を奏する。
【００８８】
＜第２の体圧分散マットレス提供方法の発明の効果＞
顧客は直接に店員等に個人の睡眠についての情報を話すのではなく、店に行くことなくパソコンなどの端末装置からアンケートに回答するものである。そのため、羞恥心なく気軽に本発明方法を利用できる。さらに、顧客としては店に行かないので時間的な制約が少ないものである。
【００８９】
また、アンケートに回答する中で自分の睡眠に関する認識と知識を高めていくことができ、ディスプレー画面上で健康睡眠に関する情報を楽しみながら行うことができる。
【００９０】
このとき、顧客は手持ちのプリンターからメジャーを簡単に取得できるので、メジャーが無くとも体格の測定を行うことが可能となる。そのため顧客がアンケートに回答する意欲をより積極的に促進できる。
【００９１】
＜第３の体圧分散マットレス提供方法の発明の効果＞
マットレス販売元などのサービス者は、顧客の睡眠に関するデータが蓄積できるので、一度マットレスを購入していただいた顧客を長期間に渡ってサポートできるというメリットがある。
【００９２】
そして、サービス者は顧客の健康睡眠に関する現ニーズ・潜在的ニーズなどを掌握することができ、最適なマットレスの開発や最適マットレスデータ作成のためのソフトなどの充実をすすめることができる。また、顧客のデータに応じて、睡眠に関する様々な情報の提供・商品の紹介などを行うことができる。また、専門家・医師などと連携しての相談などのサービスも行うこともできる。
【００９３】
このときサービス者コンピュータとは別に管理端末を設ける場合には、サービス者が高価なサーバーを用意することなく、既存のプロパイダサーバー等を利用して比較的安価に情報提供のためのシステムが構築できる点で有利である。
【図面の簡単な説明】
【図１】本発明の実施形態のマットレスの提供システムを示す概念図である。
【図２】本発明の実施形態のマットレスの提供システムのフローチャート図である。
【図３】本発明の実施形態のサービス者サイトと端末装置を接続した場合に端末装置の画面に表示されるスタート画面図（上図）、アンケート促進画面図（中図）及びアンケート注意事項画面図（下図）である。
【図４】図３の画面にリンクされたメジャー印刷画面図である。
【図５】本発明の実施形態の顧客睡眠度アンケートの項目を示す図である。
【図６】図５の画面にリンクされた体格項目アンケート画面図（上図）及びソフト項目アンケート画面図（下図）である。
【図７】図６の画面にリンクされた最適マットレスデータ画面図である。
【図８】図７の画面にリンクされた会員登録画面図である。
【図９】図８の画面にリンクされた注文画面図である。
【図１０】図９の画面にリンクされた見積もり画面図である。
【図１１】図１０の画面にリンクされた美ーナス度チェック画面図である。
【図１２】外装体をはずした状態における本発明マットレスの斜視図である。
【図１３】図１２のマットレスのＡ−Ａ断面図である。
【図１４】本発明で提供されるマットレスの使用時における縦断面図である。
【図１５】本発明で提供されるマットレスに用いられる各部クッション体の斜視図である。
【図１６】各種クッション体を含むマットレスの断面図である。
【図１７】各部クッション体に荷重がかかった場合における各部クッション体の断面図である。
【図１８】本発明で提供されるマットレスの各部位がマットレス使用者の身体に与える圧迫力を示す図（ａ）と、従来のスプリング式のマットレスの各部位がマットレス使用者の身体に与える圧迫力を示す図（ｂ）である。
【図１９】３０ポンドの荷重のとき圧縮率（縮み率）が略３０％から略５０％の間で安定値を有するクッション体の荷重の大きさと圧縮率（縮み率）の関係を表したグラフである。
【図２０】マットレス使用者が仰臥位（あお向け）で横たわった場合の理想的な背骨のラインを示した図である。
【図２１】マットレス使用者が硬いクッション体に仰臥位（あお向け）で横たわった場合において体圧が集中する箇所を示した図である。
【図２２】マットレス使用者が柔らかいクッション体に仰臥位（あお向け）で横たわった場合の背骨のラインを示した図である。
【符号の説明】
１    マットレス提供システム
２    サービス者コンピュータ
３    顧客
４    端末装置
５    マットレス製作部
６    通信手段
７    サービス者サイト管理プログラム
８    記憶手段
９    制御手段
１１    サービス者サイト（サービス者ホームページ）
１２    健康睡眠度チェックアンケート
１３    最適マットレスデータ
１４    顧客個人データ
１５    顧客睡眠度データ（アンケート回答）
１６    データベース（外部記憶装置）
１７    管理端末
１８    マットレス（体圧分散マットレス）
１９    各部クッション体
１９ａ  肩部クッション体
１９ｂ  腰部クッション体
１９ｃ  脚部クッション体
２０    箱体（キャビティ）
２１    通気性カバー
２２    柱状空間（コラム）
２３    クッション体内壁（コラム壁）
２３ａ  骨突起部の下に位置するコラム壁
２３ｂ  骨突起部以外の下に位置するコラム壁
２４    クッション体保持枠
２５    床部
２６    インターネット
２７    マットレス（従来品）
２８    マットレス使用者
２８ａ  マットレス使用者の背骨のライン
２９    枕
３０    スタート画面
３１    アンケート促進画面
３２    アンケート注意事項画面
３３    メジャー印刷画面
３４    メジャー
３５    切取線
３６    体格項目
３７    ソフト項目
３８    体格項目チェック画面
３９    体格項目欄
４０    ソフト項目チェック画面
４１    最適マットレスデータ画面
４２    会員登録画面
４３    会員登録欄
４４    登録顧客
４５    マットレス注文画面
４６    見積もり画面
４７    美ーナス度チェック画面
５１    サイト接続段階
５２    アンケート回答段階
５３    アンケート回答送信段階
５４    最適マットレスデータ作成段階
５５    マットレスデータ送信段階
５６    会員登録段階
５７    顧客睡眠度データ登録段階
５８    受注段階
５９    製造発送指示段階
６０    顧客睡眠データ修正段階
６１    交換用マットレス発送段階
６２    使用済みマットレス回収・再生段階
【図１】
0003581087.tif 000011
【図２】
0003581087.tif 000012
【図３】
0003581087.tif 000013
【図４】
0003581087.tif 000014
【図５】
0003581087.tif 000015
【図６】
0003581087.tif 000016
【図７】
0003581087.tif 000017
【図８】
0003581087.tif 000018
【図９】
0003581087.tif 000019
【図１０】
0003581087.tif 000020
【図１１】
0003581087.tif 000021
【図１２】
0003581087.tif 000022
【図１３】
0003581087.tif 000023
【図１４】
0003581087.tif 000024
【図１５】
0003581087.tif 000025
【図１６】
0003581087.tif 000026
【図１７】
0003581087.tif 000027
【図１８】
0003581087.tif 000028
【図１９】
0003581087.tif 000029
【図２０】
0003581087.tif 000030
【図２１】
0003581087.tif 000031
【図２２】
0003581087.tif 000032